(57)【要約】【課題】放熱板によって、シャーシの歪みの増大を抑えることができる表示装置を提供する。【解決手段】表示装置１は、画像を表示する画像表示部１０と、画像表示部１０に取り付けられたシャーシ２０と、シャーシ２０に固定された放熱板３０とを備える。放熱板３０は、シャーシ２０の外縁のうち、いずれか１つの側辺２２から異なる側辺２２まで、延伸して設けられている。【選択図】図１
2020030343.tif 000002
【特許請求の範囲】
【請求項１】
画像を表示する画像表示部と、
前記画像表示部に取り付けられたシャーシと、
前記シャーシに固定された放熱板とを備えた表示装置であって、
前記放熱板は、前記シャーシの外縁のうち、いずれか１つの側辺から異なる側辺まで、延伸して設けられていること
を特徴とする表示装置。
【請求項２】
請求項１に記載の表示装置であって、
前記シャーシは、前記画像表示部の背面全体を覆う矩形状に形成され、
前記放熱板は、前記シャーシのうち、前記画像表示部から遠い側の外表面に固定されていること
を特徴とする表示装置。
【請求項３】
請求項２に記載の表示装置であって、
前記シャーシの上から前記画像表示部を覆う筐体を備え、
前記放熱板は、筐体締結部材によって前記筐体に固定されていること
を特徴とする表示装置。
【請求項４】
請求項１から請求項３までのいずれか１つに記載の表示装置であって、
前記放熱板は、前記シャーシから離間する方向へ立設されたフィンを有すること
を特徴とする表示装置。
【請求項５】
請求項４に記載の表示装置であって、
前記フィンは、上端から前記シャーシの外表面に平行な方向へ延伸された延伸部を有すること
を特徴とする表示装置。
【請求項６】
請求項５に記載の表示装置であって、
前記放熱板は、同じ方向に沿って延伸された前記フィンが複数設けられ、
前記延伸部の両端は、２つの前記フィンの上端に繋がっていること
を特徴とする表示装置。
【請求項７】
請求項１から請求項６までのいずれか１つに記載の表示装置であって、
前記放熱板は、押し出し型を用いて、該放熱板の長手方向で押し出されて形成されていること
を特徴とする表示装置。
【発明の詳細な説明】
【技術分野】
【０００１】
本発明は、画像表示部に取り付けられたシャーシを有する表示装置に関する。
【背景技術】
【０００２】
近年、液晶パネルを用いた表示装置では、高輝度を得るため、バックライト（光源）を液晶パネルの直下に設けた構造とされている。光源としてＬＥＤを用いた場合では、高輝度化やローカルディミング技術の進化によって、ＬＥＤから発せられる熱が局部的に蓄熱されることがあった。それによって、光学部材などの歪みによるシワが生じ、表示画面にシワ模様が出てしまうという問題があった。上述した問題を解決する方法として、面光源装置を用いた表示装置の放熱性を高めることが提案されている（例えば、特許文献１参照）。
【先行技術文献】
【特許文献】
【０００３】
【特許文献１】特開２０１２−１８１９４０号公報
【発明の概要】
【発明が解決しようとする課題】
【０００４】
特許文献１に記載の表示装置では、画像表示手段と面光源装置とを有し、面光源装置とダクト部材との間に、空気の流路を形成した放熱構造を設けている。ダクト部材は、面光源装置の外壁に取り付けられて、流路を形成している。流路には、熱を放熱する放熱部材が配置されている。上述した表示装置では、ダクト部材が可撓性を有する軟質樹脂で形成されており、構造上の補強が不充分なため、ダクト部材に歪みが生じ、画面の見た目に影響を与える虞がある。
【０００５】
本発明は、上記の課題を解決するためになされたものであり、放熱板をシャーシの補強材として機能させ、シャーシの歪みの増大を抑えることができる表示装置を提供することを目的とする。
【課題を解決するための手段】
【０００６】
本発明に係る表示装置は、画像を表示する画像表示部と、前記画像表示部に取り付けられたシャーシと、前記シャーシに固定された放熱板とを備えた表示装置であって、前記放熱板は、前記シャーシの外縁のうち、いずれか１つの側辺から異なる側辺まで、延伸して設けられていることを特徴とする。
【０００７】
本発明に係る表示装置では、前記シャーシは、前記画像表示部の背面全体を覆う矩形状に形成され、前記放熱板は、前記シャーシのうち、前記画像表示部から遠い側の外表面に固定されている構成としてもよい。
【０００８】
本発明に係る表示装置は、前記シャーシの上から前記画像表示部を覆う筐体を備え、前記放熱板は、筐体締結部材によって前記筐体に固定されている構成としてもよい。
【０００９】
本発明に係る表示装置では、前記放熱板は、前記シャーシから離間する方向へ立設されたフィンを有する構成としてもよい。
【００１０】
本発明に係る表示装置では、前記フィンは、上端から前記シャーシの外表面に平行な方向へ延伸された延伸部を有する構成としてもよい。
【００１１】
本発明に係る表示装置では、前記放熱板は、同じ方向に沿って延伸された前記フィンが複数設けられ、前記延伸部の両端は、２つの前記フィンの上端に繋がっている構成としてもよい。
【００１２】
本発明に係る表示装置では、前記放熱板は、押し出し型を用いて、該放熱板の長手方向で押し出されて形成されている構成としてもよい。
【発明の効果】
【００１３】
本発明によると、シャーシに放熱板を取り付けることで、シャーシの局部的な蓄熱を広範囲に拡散させて、放熱効果を向上させることができる。また、長く延伸された放熱板をシャーシの表面に沿って設けることで、放熱板をシャーシの補強材として機能させ、シャーシの歪みの増大を抑えることができる。
【図面の簡単な説明】
【００１４】
【図１】本発明の第１実施形態に係る表示装置の構成を模式的に示す模式断面図である。
【図２】第１実施形態における放熱板を示す概略平面図である。
【図３Ａ】図２の矢符Ａ−Ａに対応する放熱板近傍の断面図である。
【図３Ｂ】図２の矢符Ｂ−Ｂに対応する放熱板近傍の断面図である。
【図４】シャーシと放熱板との位置関係を示す模式背面図である。
【図５】第２実施形態における放熱板を示す概略平面図である。
【図６Ａ】図５の矢符Ｃ−Ｃに対応する放熱板近傍の断面図である。
【図６Ｂ】図５の矢符Ｄ−Ｄに対応する放熱板近傍の断面図である。
【図７】第３実施形態における放熱板を示す概略平面図である。
【図８Ａ】図７の矢符Ｅ−Ｅに対応する放熱板近傍の断面図である。
【図８Ｂ】図７の矢符Ｆ−Ｆに対応する放熱板近傍の断面図である。
【図９】変形例１において、シャーシと放熱板との位置関係を示す模式背面図である。
【図１０】変形例２において、シャーシと放熱板との位置関係を示す模式背面図である。
【図１１】変形例３において、シャーシと放熱板との位置関係を示す模式背面図である。
【発明を実施するための形態】
【００１５】
（第１実施形態）
以下、本発明の第１実施形態に係る表示装置について、図面を参照して説明する。
【００１６】
図１は、本発明の第１実施形態に係る表示装置の構成を模式的に示す模式断面図である。なお、図１では、図面の見易さを考慮して、ハッチングを省略している。
【００１７】
本発明の第１実施形態に係る表示装置１は、画像表示部１０、シャーシ２０、放熱板３０、および筐体４０を含む構成とされている。図１では、画像表示部１０の正面を図面における下方に向けて、画像表示部１０の背面を図面における上方に向けた状態を示している。以下では説明のため、表示装置１の厚み方向Ｚ（後述する図３Ａ等を参照）において、画像表示部１０の正面の側を正面側と略し、画像表示部１０の背面の側を背面側と略すことがある。
【００１８】
画像表示部１０は、液晶パネルなどで構成されており、並べて配置された複数の画素に対して、印加する電圧を制御することで、表示する画像を形成する。シャーシ２０は、画像表示部１０の背面を覆うように、画像表示部１０に取り付けられている。なお、シャーシ２０には、画像表示部１０に光を照射する光源（図示しない）が取り付けられていてもよい。
【００１９】
放熱板３０は、シャーシ２０の背面に対し、放熱締結部材５０を介して取り付けられている。放熱板３０は、シャーシ２０の背面に面する基台部３１と、基台部３１に立設されたフィン３２とを備えている。放熱板３０は、例えば、金属で形成され、シャーシ２０から受けた熱を放熱する。この際、放熱板３０にフィン３２を設けることで、放熱効果をさらに高めることができる。また、放熱板３０は、シャーシ２０の外縁のうち、いずれか１つの側辺２２から異なる側辺２２まで、延伸して設けられている。なお、放熱板３０の詳細な構造については、後述する図２ないし図３Ｂを参照して説明し、シャーシ２０に対する放熱板３０の位置関係については、後述する図４を参照して説明する。
【００２０】
筐体４０は、放熱板３０およびシャーシ２０の背面を覆っており、放熱板３０に対し、筐体凹部４１に設けられた筐体締結部材６０を介して取り付けられている。なお、筐体４０と放熱板３０との固定部分については、後述する図３Ｂを参照して説明する。
【００２１】
図２は、第１実施形態における放熱板を示す概略平面図である。
【００２２】
図２では、放熱板３０について、フィン３２が設けられている側から見た状態（平面視）を示している。基台部３１は、平面視において、長方形状に形成され、放熱板３０の長手方向Ｌに沿って延伸されたフィン３２が複数設けられている。図２に示す第１放熱板３０ａでは、７つのフィン３２が設けられている。なお、以下では説明のため、複数のフィン３２が並べられている方向を幅方向Ｗと呼ぶことがある。また、フィン３２を設ける数については、放熱板３０の幅方向Ｗでの長さに応じて、適宜調整してもよい。
【００２３】
基台部３１には、厚み方向Ｚで自身を貫通する締結穴３３（詳しくは、図３Ａ参照）が設けられており、締結穴３３には、上述した放熱締結部材５０が挿入される。締結穴３３は、長手方向Ｌで離間して複数設けられており、図２では、３つの締結穴３３が設けられた構成を示している。なお、締結穴３３を設ける数や位置は、放熱板３０の長さに応じて適宜調整してもよい。締結穴３３と重なる部分では、フィン３２が分断され、基台部３１の上方（背面側）が露出している。
【００２４】
また、基台部３１には、フィン３２と同じ高さまで立設されたボス３４（詳しくは、図３Ｂ参照）が設けられており、ボス３４には、上述した筐体締結部材６０が挿入される。ボス３４は、長手方向Ｌで離間して複数設けられており、図２では、２つのボス３４が設けられた構成を示している。なお、ボス３４を設ける数や位置は、放熱板３０の長さに応じて適宜調整してもよく、締結穴３３と重ならない位置に設ければよい。ボス３４の周囲では、フィン３２が分断され、基台部３１の上方（背面側）が露出している。図２に示す構成では、ボス３４の周囲にフィン３２を設けないようにして、平坦な基台部３１の表面が露出した部分を広く設けているが、これに限定されず、放熱板３０のサイズ等に応じて、フィン３２を分断する範囲を適宜調整してもよい。
【００２５】
図３Ａは、図２の矢符Ａ−Ａに対応する放熱板近傍の断面図である。
【００２６】
図３Ａは、締結穴３３近傍での断面であって、表示装置１のうち、シャーシ２０および放熱板３０を抽出して示している。シャーシ２０には、周囲よりも背面側へ突出したシャーシ係合部２１が設けられている。基台部３１は、下面（正面側）がシャーシ係合部２１に接している。また、基台部３１には、シャーシ係合部２１の形状に応じて、下方へ延びた補助部３５が設けられている。補助部３５の下端は、シャーシ２０のうち、シャーシ係合部２１が設けられていない部分に接している。補助部３５は、長手方向Ｌに沿って設けられており、シャーシ係合部２１は、シャーシ２０のうち、放熱板３０が取り付けられる部分に設けられている。
【００２７】
シャーシ係合部２１には、厚み方向Ｚで自身を貫通する係合ビス穴２３が設けられ、係合ビス穴２３は、締結穴３３と重なる位置に設けられている。放熱締結部材５０は、例えば、ネジやピンであって、係合ビス穴２３および締結穴３３に挿入されている。放熱板３０は、放熱締結部材５０によって、シャーシ２０に対する位置がずれないように取り付けられている。
【００２８】
図３Ｂは、図２の矢符Ｂ−Ｂに対応する放熱板近傍の断面図である。
【００２９】
図３Ｂは、ボス３４近傍での断面であって、表示装置１のうち、シャーシ２０、放熱板３０、および筐体４０を抽出して示している。ボス３４は、基台部３１から上方へ延伸して形成されており、フィン３２と同じ高さまで設けられており、上部には、筐体締結部材６０が挿入される穴が形成されている。筐体４０には、ボス３４に接する程度まで凹んだ筐体凹部４１が設けられている。筐体凹部４１には、厚み方向Ｚで自身を貫通する筐体ビス穴４２が設けられ、筐体ビス穴４２は、ボス３４と重なる位置に設けられている。筐体締結部材６０は、例えば、ネジやピンであって、筐体ビス穴４２およびボス３４に挿入されている。筐体４０と放熱板３０とは、筐体締結部材６０によって、固定されている。このように、放熱板３０に筐体４０を固定することで、放熱板３０が固定部品としての役割も果たし、部品点数の削減を図ることができる。
【００３０】
放熱板３０は、押し出し型を用いて、長手方向Ｌで押し出されて形成されている。具体的には、図３Ａに示すような、基台部３１、複数のフィン３２、および補助部３５に対応する形状が開口した押し出し型を用いている。そして、放熱板３０の素材となる金属を、押し出し型の開口を通じて押し出し、所望する長さに成形する。その後、成形した金属板に対し、締結穴３３やボス３４に対応する部分を加工して、放熱板３０を完成させる。上述したように、放熱板３０の長さを変更する際、同一の押し出し型を適用でき、放熱板３０の製造コストを削減することができる。
【００３１】
シャーシ２０と筐体４０とについては、詳細を図示しないが、放熱板３０が設けられていない部分で接していてもよく、互いを固定する締結部材などを設けてもよい。
【００３２】
シャーシ２０と放熱板３０とでは、放熱締結部材５０と重ならない部分において、互いの間に放熱シートを挟んでもよく、放熱シートを介して接する構成としてもよい。
【００３３】
図４は、シャーシと放熱板との位置関係を示す模式背面図である。
【００３４】
図４では、シャーシ２０を背面側から見た状態において、シャーシ２０および放熱板３０の大まかな形状を示し、フィン３２や放熱締結部材５０などの細部を省略している。
【００３５】
シャーシ２０は、画像表示部１０の背面全体を覆う矩形状に形成されており、放熱板３０は、シャーシ２０のうち、画像表示部１０から遠い側の外表面（背面）に固定されている。以下では説明のため、背面から見た状態で、シャーシ２０の側辺２２のうち、長辺に沿った方向を横方向Ｘ（図４では、左右方向）と呼び、短辺に沿った方向を縦方向Ｙ（図４では、上下方向）と呼ぶことがある。
【００３６】
上述したように、シャーシ２０は、矩形状とされており、第１長辺２２ａ（図４では、上辺）と第２長辺２２ｂ（図４では、下辺）とが縦方向Ｙで対向し、第１短辺２２ｃ（図４では、左辺）と第２短辺２２ｄ（図４では、右辺）とが横方向Ｘで対向している。
【００３７】
図４に示す構成では、シャーシ２０に対して、２つの放熱板３０が取り付けられている。２つの放熱板３０は、それぞれ自身の長手方向が縦方向Ｙに沿うように配置されており、長手方向での端部が、第１長辺２２ａおよび第２長辺２２ｂに面している。２つの放熱板３０は、横方向Ｘにおいて、シャーシ２０の横方向Ｘでの中心に対して、対称となる位置に配置されている。
【００３８】
上述したように、シャーシ２０に放熱板３０を取り付けることで、シャーシ２０の局部的な蓄熱を広範囲に拡散させて、放熱効果を向上させることができる。また、長く延伸された放熱板３０をシャーシ２０の表面に沿って設けることで、放熱板３０をシャーシ２０の補強材として機能させ、シャーシ２０の歪みの増大を抑えることができる。
【００３９】
また、放熱板３０をシャーシ２０の外表面（背面）に取り付けているので、シャーシ２０と画像表示部１０との間隔を狭めることができる。そして、シャーシ２０の背面側では、放熱板３０の厚みに応じて、基盤等の配置スペースを確保でき、各部材を効率的に配置して、表示装置１の薄型化を図ることができる。
【００４０】
（第２実施形態）
次に、本発明の第２実施形態に係る表示装置について、図面を参照して説明する。なお、第２実施形態に係る表示装置の構造については、第１実施形態と略同様であるので、同様の符号を付して説明および図面を省略する。
【００４１】
図５は、第２実施形態における放熱板を示す概略平面図であって、図６Ａは、図５の矢符Ｃ−Ｃに対応する放熱板近傍の断面図であって、図６Ｂは、図５の矢符Ｄ−Ｄに対応する放熱板近傍の断面図である。
【００４２】
図５では、図２と同様に、放熱板３０について、フィン３２が設けられている側から見た状態（平面視）を示している。図５に示す第２放熱板３０ｂでは、５つのフィン３２が設けられている。第２実施形態では、第１実施形態に対して、複数のフィン３２のうち、１つのフィン３２（延伸フィン３２１）において、上端からシャーシ２０の外表面に平行な方向（例えば、幅方向Ｗ）へ延伸された延伸部３２２が設けられている点が異なる。延伸部３２２は、幅方向Ｗで放熱板３０の中央を含む範囲に設けられており、上面が他のフィン３２の上端と同じ高さとなっている。つまり、延伸フィン３２１では、幅方向Ｗに沿った断面の形状が、Ｌ字型（例えば、図６Ａ参照）になっている。このように、延伸部３２２を設けることで、放熱板３０自身の厚みを増やすことなく、フィン３２の表面積を増やして、放熱効果を高めることができる。
【００４３】
第２放熱板３０ｂでは、第１放熱板３０ａと同様に、３つの締結穴３３が基台部３１に設けられている。延伸部３２２は、締結穴３３の上方を覆っているが、締結穴３３と重なる位置を開口させた延伸開口部３２３（詳しくは、図６Ａ参照）が設けられている。このように、延伸開口部３２３を設けることで、延伸開口部３２３を介して、上方から締結穴３３に放熱締結部材５０を挿入することができる。
【００４４】
また、第２放熱板３０ｂでは、基台部３１にボス３４を設けない換わりに、延伸部３２２には、厚み方向Ｚで自身を貫通する延伸ビス穴３２４（詳しくは、図６Ｂ参照）が設けられている。延伸ビス穴３２４は、第１放熱板３０ａのボス３４に対応する位置に設けられ、図５では、２つの延伸ビス穴３２４が設けられた構成を示している。延伸ビス穴３２４は、ボス３４と同様に、筐体ビス穴４２と重なる位置に設けられており、筐体締結部材６０は、筐体ビス穴４２および延伸ビス穴３２４に挿入される。この構成でも、筐体４０と放熱板３０とは、筐体締結部材６０によって、固定されている。
【００４５】
（第３実施形態）
次に、本発明の第３実施形態に係る表示装置について、図面を参照して説明する。なお、第３実施形態に係る表示装置の構造については、第１実施形態および第２実施形態と略同様であるので、同様の符号を付して説明および図面を省略する。
【００４６】
図７は、第３実施形態における放熱板を示す概略平面図であって、図８Ａは、図７の矢符Ｅ−Ｅに対応する放熱板近傍の断面図であって、図８Ｂは、図７の矢符Ｆ−Ｆに対応する放熱板近傍の断面図である。
【００４７】
図７では、図２と同様に、放熱板３０について、フィン３２が設けられている側から見た状態（平面視）を示している。図７に示す第３放熱板３０ｃでは、６つのフィン３２が設けられている。第３実施形態では、第２実施形態に対して、延伸部３２２の両端が、２つのフィン３２（延伸フィン３２１）の上端に繋がっている点が異なる。図８Ａなどに示すように、２つの延伸フィン３２１と、その間に跨って設けられた延伸部３２２とでは、幅方向Ｗに沿った断面の形状が、コ字型になっている。つまり、２つの延伸フィン３２１、延伸部３２２、および基台部３１で囲まれた部分が中空になっている。このように、２つの延伸フィン３２１によって延伸部３２２を持ち上げるように支持した構造となるので、放熱板３０の強度を向上させることができる。
【００４８】
（変形例）
図４では、放熱板３０について、自身の長手方向が縦方向Ｙに沿うように配置した構成を示したが、シャーシ２０に対する放熱板３０の位置を変更してもよい。次に、シャーシ２０と放熱板３０との位置関係を変えた変形例１ないし変形例３について、図９ないし図１１を参照して説明する。
【００４９】
図９は、変形例１において、シャーシと放熱板との位置関係を示す模式背面図である。
【００５０】
図９に示す構成では、シャーシ２０に対して、３つの放熱板３０が取り付けられている。３つの放熱板３０は、それぞれ自身の長手方向が横方向Ｘに沿うように配置されており、長手方向での端部が、第１短辺２２ｃおよび第２短辺２２ｄに面している。３つの放熱板３０は、縦方向Ｙでの位置が、シャーシ２０の縦方向Ｙでの中心に対し、適度に分散して配置されている。
【００５１】
図１０は、変形例２において、シャーシと放熱板との位置関係を示す模式背面図である。
【００５２】
図１０に示す構成では、シャーシ２０に対して、２つの放熱板３０が取り付けられている。一方の放熱板３０は、自身の長手方向が縦方向Ｙに沿うように配置されており、長手方向での端部が、第１長辺２２ａおよび第２長辺２２ｂに面している。他方の放熱板３０は、自身の長手方向が横方向Ｘに沿うように配置されており、長手方向での端部が、第１短辺２２ｃおよび第２短辺２２ｄに面している。２つの放熱板３０は、シャーシ２０の背面の中央で重なっている。２つの放熱板３０が重なった交差領域ＫＲに対応する部分では、例えば、放熱板３０に厚み方向Ｚでの切欠きなどを設けてもよい。それによって、交差領域ＫＲでの厚みが、１つの放熱板３０の厚みと等しくなるように調整することができる。
【００５３】
図１１は、変形例３において、シャーシと放熱板との位置関係を示す模式背面図である。
【００５４】
図１１に示す構成では、シャーシ２０に対して、４つの放熱板３０が取り付けられている。４つの放熱板３０は、それぞれの長手方向が、横方向Ｘおよび縦方向Ｙに対し傾斜して配置されている。具体的に、シャーシ２０を背面から見た状態において、左上部に設けられた放熱板３０は、長手方向での端部が、第１長辺２２ａおよび第１短辺２２ｃに面している。シャーシ２０を背面から見た状態において、右上部に設けられた放熱板３０は、長手方向での端部が、第１長辺２２ａおよび第２短辺２２ｄに面している。シャーシ２０を背面から見た状態において、左下部に設けられた放熱板３０は、長手方向での端部が、第２長辺２２ｂおよび第１短辺２２ｃに面している。シャーシ２０を背面から見た状態において、右下部に設けられた放熱板３０は、長手方向での端部が、第２長辺２２ｂおよび第２短辺２２ｄに面している。
【００５５】
上述したように、シャーシ２０の外縁のうち、放熱板３０の長手方向での端部が面する側辺２２は、横方向Ｘまたは縦方向Ｙで対向する側辺だけに限らず、矩形において隣接する側辺２２であってもよい。
【００５６】
なお、今回開示した実施の形態は全ての点で例示であって、限定的な解釈の根拠となるものではない。従って、本発明の技術的範囲は、上記した実施の形態のみによって解釈されるものではなく、特許請求の範囲の記載に基づいて画定される。また、特許請求の範囲と均等の意味および範囲内での全ての変更が含まれる。
【符号の説明】
【００５７】
１  表示装置
１０  画像表示部
２０  シャーシ
２１  シャーシ係合部
２２  側辺
３０  放熱板
３１  基台部
３２  フィン
３２１  延伸フィン
３２２  延伸部
３２３  延伸開口部
３２４  延伸ビス穴
３３  締結穴
３４  ボス
３５  補助部
４０  筐体
４１  筐体凹部
５０  放熱締結部材
６０  筐体締結部材
Ｌ  長手方向
Ｗ  幅方向
Ｘ  横方向
Ｙ  縦方向
Ｚ  厚み方向
【図１】
2020030343.tif 000003
【図２】
2020030343.tif 000004
【図３Ａ】
2020030343.tif 000005
【図３Ｂ】
2020030343.tif 000006
【図４】
2020030343.tif 000007
【図５】
2020030343.tif 000008
【図６Ａ】
2020030343.tif 000009
【図６Ｂ】
2020030343.tif 000010
【図７】
2020030343.tif 000011
【図８Ａ】
2020030343.tif 000012
【図８Ｂ】
2020030343.tif 000013
【図９】
2020030343.tif 000014
【図１０】
2020030343.tif 000015
【図１１】
2020030343.tif 000016